(57)【要約】【課題】外見から正確に把握することが困難な壁などの遮蔽物の材質、及び厚さを推定可能とするとともに、任意の点における受信電力を正確に推定可能とする。【解決手段】受信電力推定装置４００は、遅延プロファイル推定部４０１と、反射・透過損失計算部４０２と、材質・厚さ推定部４０３とを備えている。遅延プロファイル推定部４０１は、複数の実測データに基づいて、遅延プロファイルを推定する。反射・透過損失計算部４０２は、遅延プロファイルと、端末・壁位置データと、送信パラメータデータとに基づいて、遮蔽物の反射・透過損失を算出する。材質・厚さ推定部４０３は、遮蔽物の位置、及び複数の端末・ＡＰの位置と、送信パラメータデータと、遮蔽物の反射・透過損失とに基づいて、遮蔽物の材質、及び厚さを推定する。【選択図】図２
2014112774.tif 000002
【特許請求の範囲】
【請求項１】
遮蔽物が存在する空間内でマルチパス環境下において実測した受信電力と、前記空間を自由空間と仮定した場合の受信電力とに基づいて、前記遮蔽物の反射・透過損失を算出する反射・透過損失計算部と、
前記反射・透過損失に基づいて、前記遮蔽物の物理特性の推定値を算出する物理特性推定部と、
を備えることを特徴とする受信電力推定装置。
【請求項２】
前記物理特性推定部によって算出された前記遮蔽物の物理特性の推定値に基づいて、前記空間内における任意の点の受信電力の推定値を算出する受信電力推定部
を備えることを特徴とする請求項１に記載の受信電力推定装置。
【請求項３】
前記空間内で複数の通信装置が通信するマルチパス環境下において実測した複数の受信電力に基づいて、遅延プロファイルを推定する遅延プロファイル推定部を備え、
前記反射・透過損失計算部は、前記空間を自由空間と仮定した場合の受信電力を算出し、算出した受信電力と、前記遅延プロファイルとに基づいて、前記遮蔽物の反射・透過損失を算出し、
前記物理特性推定部は、前記遅延プロファイルと、前記反射・透過損失とに基づいて、前記遮蔽物の物理特性の推定値を算出する
ことを特徴とする請求項１または２に記載の受信電力推定装置。
【請求項４】
前記反射・透過損失計算部は、
前記空間内における前記遮蔽物の位置と前記複数の通信装置の位置とに基づいて、送信点から受信点まで到達するパスを算出するレイトレース計算部と、
前記マルチパス環境下における反射係数、透過係数を１とし、前記レイトレース計算部から出力されるレイのパスと前記通信装置の送信周波数とに基づいて、自由伝搬の距離減衰量を算出する伝搬損失計算部と、
前記自由伝搬の距離減衰量と、送信アンテナ利得と、受信アンテナ利得と、送信電力とに基づいて、受信点の受信電力を算出する受信電力計算部と、
前記受信電力計算部から出力される受信点の受信電力と前記遅延プロファイル推定部から出力される遅延プロファイルとの差分に基づいて、前記遮蔽物の反射・透過損失を算出する減算器と、
を備えることを特徴とする請求項３に記載の受信電力推定装置。
【請求項５】
周波数領域データをサンプリングして得られた周波数データベクトルから受信データ相関行列を算出し、該受信データ相関行列と、前記複数の通信装置の送信周波数及び周波数帯域幅とから空間スペクトラムを出力するパス分離部と、
前記パス分離部から出力される前記空間スペクトラムに基づいて、該空間スペクトラムのピーク値に対応する伝搬遅延時間を推定する伝搬遅延推定部と、
を備え、
前記遅延プロファイル推定部は、前記遅延プロファイルとして、前記伝搬遅延推定部によって推定された、各パスの伝搬遅延時間に対応する受信電力を算出する
ことを特徴とする請求項３または４に記載の受信電力推定装置。
【請求項６】
前記物理特性推定部は、前記遮蔽物の材質及び厚さを前記物理特性として算出し、
前記受信電力推定部は、前記物理特性推定部に算出される前記遮蔽物の材質及び厚さと、複数の通信装置の位置と、前記複数の通信装置の送信アンテナ利得と、受信アンテナ利得と、送信電力と、送信周波数とに基づいて、任意の点の受信電力の推定値を算出する
ことを特徴とする請求項２に記載の受信電力推定装置。
【請求項７】
遮蔽物が存在する空間内でマルチパス環境下において実測した受信電力と、前記空間を自由空間と仮定した場合の受信電力とに基づいて、前記遮蔽物の反射・透過損失を算出するステップと、
前記反射・透過損失に基づいて、前記遮蔽物の物理特性の推定値を算出するステップと、
を備えることを特徴とする受信電力推定方法。
【請求項８】
請求項１から６のいずれか１項に記載の受信電力推定装置として、コンピュータを動作させるプログラム。
【発明の詳細な説明】
【技術分野】
【０００１】
本発明は、受信電力推定装置、受信電力推定方法、及びプログラムに関する。
【背景技術】
【０００２】
近年、無線ＬＡＮ（Local Area Network）などの自営屋内無線通信システムの普及に伴い、隣接アクセスポイント、及びその配下の端末との干渉が問題となっている。これらの干渉の軽減には、隣接アクセスポイントの通信エリアへの干渉を回避しつつ、自らのアクセスポイント（以下、ＡＰという）の通信エリアと通信可能な適切な通信エリア設計が必要となる。そして、その設計のためには、屋内の伝搬特性を正確に推定する必要がある。伝搬特性とは、様々な環境における伝搬損失特性であり、任意の場所の受信電力を推定するための性質である。
【０００３】
屋内の伝搬特性は、端末の位置、宅内にある壁・柱・家具などの遮蔽物によって変化する伝搬経路、壁の材質（比透磁率、比誘電率、導電率）・厚さによって異なり、建物・部屋ごとに固有である。そのため、通信エリア設計には、建物・部屋ごとに固有な伝搬特性の推定が必要となる。
【０００４】
建物・部屋ごとに固有な伝搬特性を推定する手法には、大別して２つの手法がある。第１の推定方法は、測定点にアンテナを設置し受信電力を実測する手法であり、第２の推定方法は、計算機上に構築した建物・屋内のモデル化を用い、電波伝搬をシミュレートし受信電力を計算する手法である。実測を用いる第１の推定方法は、アンテナ設置場所以外の測定ができないため、通信エリア設計に必要な面的な（任意の場所の）受信電力の推定は困難である。一方、計算機シミュレーションを用いる第２の推定方法は、計算機上で送受信アンテナの位置を任意に動かせるため、通信エリア設計に必要な面的な（任意の場所の）受信電力を精度良く推定することが可能である。
【０００５】
受信電力の計算機シミュレーションには、一般にＦＤＴＤ（Finite Difference Time Domain method）法とレイトレース法とが用いられる。ＦＤＴＤ法では、マクスウェルの偏微分方程式を時間、及び空間について差分近似し、時間領域で解くことで電界強度を求められ、任意の場所の受信電力を推定できる。ＦＤＴＤ法は、推定精度は高いが、波長の数分の１の単位ごとに電磁界解析を行うため、その演算量は推定する領域の大きさに依存する。一般的に、波長と比べ、建物・部屋のサイズは数桁以上大きいため、その伝搬環境の推定には膨大な演算量がかかってしまうという問題がある。一方で、レイトレース法は、電波の素波をレイと見なして送信点から受信点までのレイの軌跡を幾何学的にトレースし、その結果に基づいて受信点における各素波の電界強度を、幾何光学理論を用いて算出する。レイトレース法の計算時間は、波長に依存しないため、建物・屋内の伝搬特性の推定に適している。
【０００６】
図１４は、従来技術（例えば非特許文献１参照）の受信電力推定装置１００の構成を示すブロック図である。図１４において、受信電力推定装置１００は、受信電力推定部１０１を備えている。受信電力推定部１０１は、端末・壁位置データと、材質・厚さデータと、送信パラメータデータとを入力し、レイトレース法を用いて計算機上で受信電力を推定する。
【０００７】
図１５は、従来技術の受信電力推定部１０１の構成を示すブロック図である。受信電力推定部１０１は、レイトレース計算部２０１、伝搬損失計算部２０２、及び受信電力計算部２０３を備えている。レイトレース計算部２０１は、送信点から球面上に放射された電波をレイと見なして、端末・壁位置データに基づいて、レイの軌跡を幾何学的にトレースし、送信点から受信点まで到達するパスを計算して出力する。伝搬損失計算部２０２は、レイトレース計算部２０１から出力されたレイのパスと、材質・厚さデータと、送信周波数とから、パスごとの透過係数、反射係数、回折係数や、距離による減衰量（伝搬損失）を計算して出力する。受信電力計算部２０３は、伝搬損失計算部２０２から出力された減衰量と、送信パラメータデータから得られる送信アンテナ利得と、受信アンテナ利得と、送信電力とを用いて受信点の受信電力を算出する。
【０００８】
次に、従来技術の受信電力推定装置１００の動作について説明する。
まず、ＣＡＤ（Computer Aided Design）ソフトを用いて壁などの遮蔽物のレイアウトを作成し、端末・ＡＰの位置などを示す端末・壁位置データ、遮蔽物の材質や、厚さなどを示す材質・厚さデータ、及び送信アンテナ利得や、受信アンテナ利得、送信電力、送信周波数などを示す送信パラメータデータを受信電力推定部１０１に入力する。レイトレース計算部２０１では、送信点から球面上に放射された電波をレイと見なして、端末・壁位置データに基づいて、入力された壁などの遮蔽物の位置や、端末・ＡＰの位置からレイの軌跡を幾何学的にトレースし、送信点から受信点まで到達するパスを出力する。
【０００９】
伝搬損失計算部２０２は、レイトレース計算部２０１から出力されたレイのパスと、材質・厚さデータから得られる遮蔽物の材質・厚さと、送信周波数とから、パスごとの透過係数、反射係数、回折係数や、距離による減衰量を出力する。受信電力計算部２０３は、伝搬損失計算部２０２から出力された減衰量と、送信パラメータデータに含まれる送信アンテナ利得、受信アンテナ利得、及び送信電力とを用いて、受信点の受信電力を算出して出力する。このようにして、遮蔽物の位置や、端末・ＡＰの位置、材質・厚さ、送信アンテナ利得、受信アンテナ利得、送信電力、送信周波数からレイトレース法によって任意の場所における受信電力を得ることができる。
【００１０】
次に、上述した伝搬損失計算部２０２、受信電力計算部２０３の動作を、数式を用いて詳細に説明する。受信点に到達したｉ番目のレイがｈ番目の壁面で反射する回数をＷｉ，ｈ、透過する回数をＸｉ，ｈ、回折する回数をＹｉ，ｈとし、ｉ番目のレイがｈ番目の壁面でｌ（エル）番目に反射した場合の反射係数をＲｉ，ｈ，ｌ、ｍ番目に透過した場合の透過係数をＴｉ，ｈ，ｍ、ｎ番目に回折した場合の回折係数をＤｉ，ｈ，ｎ、送信点から最初の回折点までの延べ距離をＳｉ，１、ｐ−１番目の回折点からｐ番目までの回折点までの延べ距離をｓｉ，１、送信アンテナ利得をＧｔ、受信アンテナ利得をＧｒ、送信電力をＰｔ、送信周波数をｆ、光速をｃ、波数をｋとすると、ｉ番目の伝搬損失Ｌｉ、受信電力Ｐｒは、数式（１），（２），（３）で計算される。
【００１１】
【数１】
2014112774.tif 000003
【００１２】
【数２】
2014112774.tif 000004
【００１３】
【数３】
2014112774.tif 000005
【００１４】
ここでは、整数の添え字は媒質種類を示す。第１の媒質から第２の媒質へ電波が入射する場合のフレネルの反射係数をＲ｜｜（ＴＥ入射）、Ｒ⊥（ＴＭ入射）、比複素屈折率をｎ１２、第１の媒質の比透磁率をμ１、比誘電率をε１、導電率をσ１、第２の媒質の比透磁率をμ２、比誘電率をε２、導電率をσ２、入射角をθ、角周波数をω、厚さをｄ、波長をλとすると、次式（４）、（５）、（６）で表される（例えば非特許文献２参照）。
【００１５】
【数４】
2014112774.tif 000006
【００１６】
【数５】
2014112774.tif 000007
【００１７】
【数６】
2014112774.tif 000008
【００１８】
透過係数Ｔは、次式（７）で表される。
【００１９】
【数７】
2014112774.tif 000009
【００２０】
βは厚さｄ、及び第１の媒質内の波長λの関数である。ｒ１２は数式（４）または数式（５）で与えられる第１の媒質の第２の媒質に対するフレネルの反射係数であり、ｒ２３は第２の媒質の第３の媒質に対するフレネルの反射係数である。また、ｔ１２は第１の媒質から第２の媒質に入射波が透過する場合のフレネルの透過係数であり、ｔ２３は第２の媒質から第３の媒質に入射波が透過する場合のフレネルの透過係数である。上記β、ｔ｜｜（ＴＥ入射）、ｔ⊥（ＴＭ入射）は、各々、次式（８）、（９）、（１０）のように表される。
【００２１】
【数８】
2014112774.tif 000010
【００２２】
【数９】
2014112774.tif 000011
【００２３】
【数１０】
2014112774.tif 000012
【先行技術文献】
【非特許文献】
【００２４】
【非特許文献１】今井哲郎，犬飼裕一郎，藤井輝也，“レイトレースを用いた屋内エリア推定システム”,電子情報通信学会論文誌B，Vol.J83-B，pp.1565-1576，2000．
【非特許文献２】細矢良雄, “電波伝搬ハンドブック,” REALIZE INC., p.234~p.240
【発明の概要】
【発明が解決しようとする課題】
【００２５】
上述した従来技術では、端末や、ＡＰの位置と、壁などの遮蔽物の位置・厚さや、材質などにより構成される屋内伝搬モデルを、事前にＣＡＤソフト等を用いて正確にモデル化できれば、計算機シミュレーションを用いて、端末や、ＡＰの任意の点における受信電力を正確に推定できる。
【００２６】
しかしながら、屋内伝搬モデルのモデル化で必要なパラメータのうち、特に壁などの遮蔽物の厚さや、内部構造を含めた材質は、外見からは正確に把握することが困難であり、正確なモデル化には建物の詳細な設計図面が必要となる。また、遮蔽物の材質の物理特性（誘電率や、導電率等）は、同一種類の素材であっても製造者等によって異なる場合がある。この場合、利用されている製造者素材と同一のものの物理特性を、自由空間透過法などにより個別に推定して屋内伝搬モデルに入力する必要がある。このため、従来技術では、屋内伝搬モデルの正確なモデル化は困難であり、端末や、ＡＰの任意の点における受信電力を正確に推定できないという問題がある。
【００２７】
本発明は、このような事情を考慮してなされたものであり、その目的は、外見から正確に把握することが困難な壁などの遮蔽物の材質、厚さ等の物理特性を推定することによって、任意の点における受信電力を正確に推定することができる受信電力推定装置、受信電力推定方法、及びプログラムを提供することにある。
【課題を解決するための手段】
【００２８】
上述した課題を解決するために、本発明の一態様は、遮蔽物が存在する空間内でマルチパス環境下において実測した受信電力と、空間を自由空間と仮定した場合の受信電力とに基づいて、遮蔽物の反射・透過損失を算出する反射・透過損失計算部と、反射・透過損失に基づいて、遮蔽物の物理特性の推定値を算出する物理特性推定部と、を備えることを特徴とする受信電力推定装置である。
【００２９】
また、本発明の一態様は、物理特性推定部によって算出された遮蔽物の物理特性の推定値に基づいて、空間内における任意の点の受信電力の推定値を算出する受信電力推定部を備えることを特徴とする。
【００３０】
また、本発明の一態様は、空間内で複数の通信装置が通信するマルチパス環境下において実測した複数の受信電力に基づいて、遅延プロファイルを推定する遅延プロファイル推定部を備え、反射・透過損失計算部は、空間を自由空間と仮定した場合の受信電力を算出し、算出した受信電力と、遅延プロファイルとに基づいて、遮蔽物の反射・透過損失を算出し、物理特性推定部は、遅延プロファイルと、反射・透過損失とに基づいて、遮蔽物の物理特性の推定値を算出することを特徴とする。
【００３１】
また、本発明の一態様は、反射・透過損失計算部が、空間内における遮蔽物の位置と複数の通信装置の位置とに基づいて、送信点から受信点まで到達するパスを算出するレイトレース計算部と、マルチパス環境下における反射係数、透過係数を１とし、レイトレース計算部から出力されるレイのパスと通信装置の送信周波数とに基づいて、自由伝搬の距離減衰量を算出する伝搬損失計算部と、自由伝搬の距離減衰量と、送信アンテナ利得と、受信アンテナ利得と、送信電力とに基づいて、受信点の受信電力を算出する受信電力計算部と、受信電力計算部から出力される受信点の受信電力と遅延プロファイル推定部から出力される遅延プロファイルとの差分に基づいて、遮蔽物の反射・透過損失を算出する減算器と、を備えることを特徴とする。
【００３２】
また、本発明の一態様は、周波数領域データをサンプリングして得られた周波数データベクトルから受信データ相関行列を算出し、該受信データ相関行列と、複数の通信装置の送信周波数及び周波数帯域幅とから空間スペクトラムを出力するパス分離部と、パス分離部から出力される空間スペクトラムに基づいて、該空間スペクトラムのピーク値に対応する伝搬遅延時間を推定する伝搬遅延推定部と、を備え、遅延プロファイル推定部は、遅延プロファイルとして、伝搬遅延推定部によって推定された、各パスの伝搬遅延時間に対応する受信電力を算出することを特徴とする。
【００３３】
また、本発明の一態様は、物理特性推定部が、遮蔽物の材質及び厚さを物理特性として算出し、受信電力推定部は、物理特性推定部に算出される遮蔽物の材質及び厚さと、複数の通信装置の位置と、複数の通信装置の送信アンテナ利得と、受信アンテナ利得と、送信電力と、送信周波数とに基づいて、任意の点の受信電力の推定値を算出することを特徴とする。
【００３４】
また、本発明の一態様は、遮蔽物が存在する空間内でマルチパス環境下において実測した受信電力と、空間を自由空間と仮定した場合の受信電力とに基づいて、遮蔽物の反射・透過損失を算出するステップと、反射・透過損失に基づいて、遮蔽物の物理特性の推定値を算出するステップと、を備えることを特徴とする受信電力推定方法である。
【００３５】
また、本発明の一態様は、上述した受信電力推定装置として、コンピュータを動作させるプログラムである。
【発明の効果】
【００３６】
この発明によれば、外見から正確に把握することが困難な壁などの遮蔽物の材質、及び厚さを推定することができるとともに、任意の点における受信電力を正確に推定することができる。
【図面の簡単な説明】
【００３７】
【図１】本発明の第１実施形態による通信システムが前提とする屋内伝搬モデルを示すブロック図である。
【図２】本第１実施形態による受信電力推定装置の構成を示すブロック図である。
【図３】本第１実施形態による反射・透過損失計算部のブロック図である。
【図４】本第１実施形態による受信電力推定装置の動作を説明するためのフローチャートである。
【図５】本第１実施形態による反射・透過損失計算部の動作を説明するためのフローチャートである。
【図６】本第１実施形態による受信電力推定装置のシミュレーション結果であって、反射・透過損失計算部の出力結果を示す図である。
【図７】本第１実施形態による受信電力推定装置のシミュレーション結果であって、材質・厚さ推定部の出力結果を示す図である。
【図８】本第１実施形態による受信電力推定部の平均受信電力推定誤差を示す図である。
【図９】本第１実施形態による受信電力推定装置の評価結果を示す概念図である。
【図１０】本第１実施形態において、シミュレーションの前提となる通信システムにおける送信局と受信局と遮蔽物との位置関係を示す概念図である。
【図１１】本第１実施形態において、シミュレーション条件を示す図である。
【図１２】本発明の第２実施形態による受信電力推定装置の構成を示すブロック図である。
【図１３】本第２実施形態による受信電力推定装置の動作を説明するためのフローチャートである。
【図１４】従来技術の受信電力推定装置の構成を示すブロック図である。
【図１５】従来技術の受信電力推定部の構成を示すブロック図である。
【発明を実施するための形態】
【００３８】
本発明では、遅延プロファイル推定と遮蔽物の材質・厚さ推定とを組み合わせることにより、マルチパス環境下の複数位置において実測した実測データと、伝搬モデル中の遮蔽物の反射係数、及び透過係数をそれぞれ１と仮定して当該位置において算出した受信信号との差分に基づいて、外見から正確に把握することが困難な遮蔽物の材質（比透磁率、比誘電率、導電率）・厚さを推定可能とする。さらに、伝搬モデルに推定された遮蔽物の材質（比透磁率、比誘電率、導電率）、及び厚さを適用して、任意の位置における受信信号を推定可能とする。
【００３９】
以下、本発明の一実施形態を、図面を参照して説明する。
【００４０】
Ａ．第１実施形態
図１は、本発明の第１実施形態による通信システムが前提とする屋内伝搬モデルを示すブロック図である。屋内伝搬モデルは、送信局３０１、受信局３０２、３０３を備える。遮蔽物３０４は、石膏ボードや、サイディングなどの壁からなる。回折係数Ｄは０とする。図示する屋内伝搬モデルにおいて、受信局３０２は、送信局３０１からの直接波を受信し、受信局３０３は、石膏ボードやサイディングなどの壁からの反射波を受信する。
【００４１】
図２は、本第１実施形態による受信電力推定装置４００の構成を示すブロック図である。受信電力推定装置４００は、遅延プロファイル推定部４０１、反射・透過損失計算部４０２、材質・厚さ推定部４０３、及び受信電力推定部４０４を備えている。遅延プロファイル推定部４０１は、スライディング相関処理によって受信信号と既知信号の全てのサンプルからなる実測データに対して相関演算を行い、遅延プロファイルを推定する。反射・透過損失計算部４０２は、上記遅延プロファイルと、端末・壁位置データに含まれる遮蔽物の位置や、端末・ＡＰの位置と、送信パラメータデータに含まれる送信アンテナ利得、受信アンテナ利得、送信電力、及び送信周波数とから遮蔽物の反射・透過損失を算出する。
【００４２】
材質・厚さ推定部４０３は、端末・壁位置データと送信パラメータデータとに基づいて、反射・透過損失計算部４０２から出力される反射・透過損失の合計値から、遮蔽物の材質（比透磁率、比誘電率、導電率）と厚さとを推定する。受信電力推定部４０４は、材質・厚さ推定部４０３から出力される遮蔽物の材質・厚さと、端末・壁位置データに含まれる端末・ＡＰの位置と、送信パラメータデータに含まれる送信アンテナ利得、受信アンテナ利得、送信電力、及び送信周波数とを用いて、任意の点の受信電力を推定して出力する。
【００４３】
図３は、本第１実施形態による反射・透過損失計算部４０２のブロック図である。反射・透過損失計算部４０２は、レイトレース計算部５０１、伝搬損失計算部５０２、受信電力計算部５０３、及び減算器５０４を備えている。レイトレース計算部５０１は、端末・壁位置データに含まれる遮蔽物の位置や、端末・ＡＰの位置から、送信点から受信点まで到達するパスを算出して出力する。伝搬損失計算部５０２は、反射係数、透過係数を１とした場合、レイトレース計算部５０１から出力されたレイのパスと、送信パラメータデータに含まれる送信周波数とから、自由伝搬の距離減衰量を算出して出力する。
【００４４】
受信電力計算部５０３は、伝搬損失計算部５０２から出力された自由伝搬の距離減衰量と、送信パラメータデータに含まれる送信アンテナ利得、受信アンテナ利得、及び送信電力とを用いて、受信点の受信電力を算出する。減算器５０４は、受信電力計算部５０３の出力結果と遅延プロファイル推定部４０１から出力された遅延プロファイルとの差分を演算し、遮蔽物による反射・透過損失の合計値を算出して出力する。
【００４５】
次に、本第１実施形態による受信電力推定装置４００の動作について説明する。
遅延プロファイルの推定法には、時間領域データを用いる手法と周波数領域データを用いる手法とがある。時間領域データを用いる手法では、受信信号と既知信号とを相関演算する手法や、受信信号パイロットを送信信号パイロットで除算して伝達関数を求め、得られた伝達関数を逆離散フーリエ変換する手法などによって遅延プロファイルを得ることができる。一方、周波数領域データを用いる手法では、周波数スペクトルから逆離散フーリエ変換する手法、高分解手法などによって遅延プロファイルを得ることができる（例えば、参考文献３：柴田考基，“ＯＦＤＭ伝送における遅延プロファイル推定法”,映像情報メディア学会誌，Vol.60,No.10,pp.1672-1680,2006．）。
【００４６】
図４は、本第１実施形態による受信電力推定装置４００の動作を説明するためのフローチャートである。本第１実施形態では、時間領域データから遅延プロファイルを算出する手法を採用する。遅延プロファイル推定部４０１では、スライディング相関処理によって受信信号と既知信号の全てのサンプルからなる実測データに対して相関演算を行い、遅延プロファイルを推定する（ステップＳ１０）。
【００４７】
反射・透過損失計算部４０２は、遅延プロファイル推定部４０１から出力される遅延プロファイルと、端末・壁位置データに含まれる、遮蔽物の位置や、端末・ＡＰの位置と、送信パラメータデータに含まれる、送信アンテナ利得、受信アンテナ利得、送信電力、及び送信周波数とから、遮蔽物の反射・透過損失を算出して出力する（ステップＳ１１）。
【００４８】
ここで、反射・透過損失計算部４０２の動作について詳細に説明する。
図５は、本第１実施形態による反射・透過損失計算部４０２の動作を説明するためのフローチャートである。まず、レイトレース計算部５０１は、端末・壁位置データに含まれる遮蔽物の位置や、端末・ＡＰの位置から、送信点から受信点まで到達するパスを出力する（ステップＳ２０）。伝搬損失計算部５０２は、反射係数、透過係数を１とし、レイトレース計算部５０１から出力されるレイのパスと、送信パラメータデータに含まれる送信周波数とから、自由伝搬の距離減衰量を出力する（ステップＳ２１）。
【００４９】
受信電力計算部５０３は、伝搬損失計算部５０２から出力される自由伝搬の距離減衰量と、送信パラメータデータに含まれる送信アンテナ利得、受信アンテナ利得、及び送信電力とを用いて受信点の受信電力を算出する（ステップＳ２２）。そして、減算器５０４は、伝搬損失計算部５０２の出力結果と遅延プロファイル推定部４０１から出力される遅延プロファイルとの差分を算出し、遮蔽物による反射・透過損失の合計値を出力する（ステップＳ２３）。
【００５０】
次に、反射・透過損失計算部４０２の動作を、数式を用いて詳細に説明する。反射係数、透過係数、回折係数を１としてレイのパス情報から自由伝搬の距離減衰量Ｌｉ０は、次式（１１）、（１２）で表される。
【００５１】
【数１１】
2014112774.tif 000013
【００５２】
【数１２】
2014112774.tif 000014
自由伝搬の受信電力Ｐｒ０は、次式（１３）で表される。
【００５３】
【数１３】
2014112774.tif 000015
以上より、i番目のレイの反射・透過損失の合計Ｚｉ［ｄＢ］を受信電力Ｐｒ，ｉを用いて次式（１４）で示すように推定できる。
【００５４】
【数１４】
2014112774.tif 000016
【００５５】
材質・厚さ推定部４０３は、反射・透過損失計算部４０２から出力される反射・透過損失の合計値から評価関数（後述）を満たす比透磁率μ、比誘電率ε、導電率σ、厚さｄとの組合せの中で、評価関数を最小とする組合せを選択する（図４のステップＳ１２）。
【００５６】
ここで、材質・厚さ推定部４０３の動作を、数式を用いて詳細に説明する。第１の媒質から第２の媒質へ電波が入射する場合のフレネルの反射係数をＲ｜｜（ＴＥ入射）、Ｒ⊥（ＴＭ入射）、比複素屈折率をｎ１２、第１の媒質の比透磁率をμ１、比誘電率をε１、導電率をσ１、第２の媒質の比透磁率をμ２、比誘電率をε２、導電率をσ２、入射角をθ、角周波数をω、厚さをｄ、波長をλとする。フレネルの反射係数Ｒ｜｜、Ｒ⊥、及び比複素屈折率ｎ１２は、次式（１５）、（１６）、（１７）で表される。
【００５７】
【数１５】
2014112774.tif 000017
【００５８】
【数１６】
2014112774.tif 000018
【００５９】
【数１７】
2014112774.tif 000019
【００６０】
透過係数Ｔは、次式（１８）で表される。
【００６１】
【数１８】
2014112774.tif 000020
【００６２】
βは厚さｄ、及び第１の媒質内の波長λの関数である。ｒ１２は数式（１５）、または数式（１６）で与えられる第１の媒質の第２の媒質に対するフレネルの反射係数であり、ｒ２３は第２の媒質の第３の媒質に対するフレネルの反射係数である。また、ｔ１２は第１の媒質から第２の媒質に入射波が透過する場合のフレネルの透過係数であり、ｔ２３は第２の媒質から第３の媒質に入射波が透過する場合のフレネルの透過係数である。β、ｔ｜｜（ＴＥ入射）、ｔ⊥（ＴＭ入射）は、各々、次式（１９）、（２０）、（２１）のように表される。
【００６３】
【数１９】
2014112774.tif 000021
【００６４】
【数２０】
2014112774.tif 000022
【００６５】
【数２１】
2014112774.tif 000023
【００６６】
ｉ番目のレイがｈ番目の壁面で反射する回数をＷｉ，ｈ、透過する回数をＸｉ，ｈ、ｉ番目のレイがｈ番目の壁面でｌ番目に反射した場合の反射係数をＲｉ，ｈ，ｌ、ｍ番目に透過した場合の透過係数をＴｉ，ｈ，ｍとし、評価関数を次式（２２）のように定める。
【００６７】
【数２２】
2014112774.tif 000024
【００６８】
これらの関係式を満たす比透磁率μ、比誘電率ε、導電率σ、厚さｄとの組合せの中で、評価関数（２２）を最小とするものが式を満足する組合せであり、シンプレックス法、ニュートン法、遺伝的アルゴリズムなどを用いることで解析することができる。このように、複数反射、複数透過の平均二乗誤差を評価関数として利用することにより、複数反射、複数透過のパスにも対応することができ、少ない実測データで任意の場所の受信電力を推定することができる。
【００６９】
また、導電率は、次式（２３）で表されるため（例えば、参考文献４：Rec. ITU-R P.1238, “Propagation data and prediction methods for the planning of indoor radio communication systems and radio local area networks in the frequency range 900 MHz to 100 GHz,”Recommendation ITU-R, p.12~p.14）、導電率の周波数特性を考慮する場合、送信周波数の異なる２つのレイから定数ａ，ｂを求める必要がある。
【００７０】
【数２３】
2014112774.tif 000025
【００７１】
そして、受信電力推定部４０４は、材質・厚さ推定部４０３から出力される遮蔽物の材質・厚さと、端末・壁位置データに含まれる端末・ＡＰの位置と、送信パラメータデータに含まれる送信アンテナ利得、受信アンテナ利得、送信電力、及び送信周波数とを用いて、任意の点の受信電力を推定する（ステップＳ１３）。
【００７２】
図６は、本第１実施形態による受信電力推定装置４００のシミュレーション結果であって、反射・透過損失計算部４０２の出力結果を示す図である。また、図７は、本第１実施形態による受信電力推定装置４００のシミュレーション結果であって、材質・厚さ推定部４０３の出力結果を示す図である。また、図８は、本第１実施形態による受信電力推定部４０４の平均受信電力推定誤差を示す図である。
【００７３】
また、図９は、本第１実施形態による受信電力推定装置４００の評価結果を示す概念図である。図８に示す平均受信電力推定誤差は、図９に示す入射角度を変化させたときの透過損失値を用いて算出した受信電力の理論値と受信電力推定部４０４の誤差との平均とした。また、図１０は、本第１実施形態において、シミュレーションの前提となる通信システムにおける送信局と受信局と遮蔽物との位置関係を示す概念図である。また、図１１は、本第１実施形態において、シミュレーション条件を示す図である。
【００７４】
図１０に示すように、当該シミュレーションにおける通信システム（モデル）では、送信局６００と受信局６０１、…、６０４との間に石膏ボードなどの遮蔽物６０５が介在し、送信局６００と受信局６０１とを結ぶ直線が遮蔽物６０５と角度θ１で交差し、送信局６００と受信局６０４とを結ぶ直線が遮蔽物６０５と角度θ４で交差している。なお、図示していないが、図６から分かるように、送信局６００と図示しない受信局６０２とを結ぶ直線が遮蔽物６０５と角度θ２で交差し、送信局６００と図示しない受信局６０３とを結ぶ直線が遮蔽物６０５と角度θ３で交差している。
【００７５】
また、図６、図７、図８に示すシミュレーション結果は、図１０に示す状況において、図１１に示すシミュレーション条件を用いた場合の結果である。図１１に示すように、シミュレーション条件としては、石膏ボードの材質は参考文献５（Frantz Bouchereau, David Brady, and Colin Lanzl，“Multipath Delay Estimation Using a SuperresolutionPN-Correlation Method”, IEEE TRANSACTIONS ON SIGNAL PROCESSING, VOL. 49, NO. 5, MAY 2001）を参照されたい。また、他のシミュレーション条件は、比透磁率を１．００、比誘電率を２．９４、導電率を０．０３５２Ｓ／ｍ、厚さを０．０１ｍとした。
【００７６】
図６、図７、図８から明らかなように、４つの透過損失値から遮蔽物の材質（比透過率、比誘電率、誘電率）・厚さを推定し、計算機シミュレーションを用いて任意の場所の受信電力を推定することができる。すなわち、反射・透過損失推定部４０２は、図６に示すように、それぞれの透過損失を、１．５９、１．６７、１．７５、及び１．８４（ｄＢ）と推定した。また、材質・厚さ推定部４０３は、図７に示すように、遮蔽物６０５の比透過率として、１．０１、比誘電率として、２．９５、誘電率として０．０３４２（Ｓ／ｍ）、厚さとして、０．０１０２（ｍ）と推定した。また、受信電力推定部４０４は、平均受信電力推定誤差として、０．００１５（ｄＢ）と推定した。
【００７７】
Ｂ．第２実施形態
図１２は、本発明の第２実施形態による受信電力推定装置８００の構成を示すブロック図である。なお、図２に対応する部分には同一の符号を付けて説明を省略する。本第２実施形態による受信電力推定装置８００は、パス分離部８０１、伝搬遅延推定部８０２、遅延プロファイル推定部８０３、反射・透過損失計算部４０２、材質・厚さ推定部４０３、及び受信電力推定部４０４を備えている。
【００７８】
パス分離部８０１は、実測した周波数領域データを適切なサンプリング周波数（例えば、ＯＦＤＭ信号のサブチャネル間隔）でサンプリングし、得られた周波数データベクトルから受信データ相関行列を算出する。また、パス分離部８０１は、ＭＵＳＩＣ（MUltiple SIgnal Classification）法や、ＥＳＰＲＩＴ（Estimation of Signal Parameters via Rotation Invariance Techniques）法といった高分解手法（例えば、参考文献５）を用いて、受信データ相関行列、送信周波数、周波数帯域幅から空間スペクトラムを出力する。このとき、受信データの相関を抑圧するために、空間平均法（例えば、参考文献６：後藤尚久,中川正雄,伊藤精彦,“アンテナ・無線ハンドブック,”オーム社, p.457~p.459）を利用することも可能である。伝搬遅延推定部８０２は、パス分離部８０１から出力された空間スペクトラムを微分し、空間スペクトラムのピーク値に対応する伝搬遅延時間を推定する。遅延プロファイル推定部８０３は、各パスの伝搬遅延時間に対応する受信電力を算出し、遅延プロファイルを出力する。
【００７９】
次に、受信電力推定装置８００の動作について説明する。
図１３は、本第２実施形態による受信電力推定装置８００の動作を説明するためのフローチャートである。本第２実施形態では、周波数領域データを用いて遅延プロファイルを算出する。パス分離部８０１は、実測した周波数領域データを適切なサンプリング周波数（例えば、ＯＦＤＭ（Orthogonal Frequency Division Multiplexing）信号のサブチャネル間隔）でサンプリングして得られた周波数データベクトルから受信データ相関行列を算出する（ステップＳ３０）。次に、パス分離部８０１は、ＭＵＳＩＣ法やＥＳＰＲＩＴ法といった高分解手法を用いて、受信データ相関行列、送信周波数、周波数帯域幅から空間スペクトラムを出力する（ステップＳ３１）。
【００８０】
次に、伝搬遅延推定部８０２は、パス分離部８０１から出力された空間スペクトラムを微分し、空間スペクトラムのピーク値に対応する伝搬遅延時間を推定して出力する（ステップＳ３２）。次に、遅延プロファイル推定部８０３は、各パスの伝搬遅延時間に対応する受信電力を算出し、遅延プロファイルを推定して出力する（ステップＳ３３）。
【００８１】
次に、パス分離部８０１、伝搬遅延推定部８０２、遅延プロファイル推定部８０３のＭＵＳＩＣ法を用いた場合の動作を一例に数式を用いて詳細に説明する。
【００８２】
到来波数をＩ、周波数データベクトルをｘ（ｆ）、モードベクトルをａ（τ）、周波数スペクトルをｓ（ｆ）、雑音をｎ（ｆ）とすると、周波数帯域幅ΔＦ（＝ｆＮ−ｆ１）において、周波数間隔ΔｆでサンプリングされたＮ個のデータからなる周波数データベクトルｘ（ｆ）は、次式（２４）で表され、各変数は、次式（２５）、（２６）、（２７）で表される。
【００８３】
【数２４】
2014112774.tif 000026
【００８４】
【数２５】
2014112774.tif 000027
【００８５】
【数２６】
2014112774.tif 000028
【００８６】
【数２７】
2014112774.tif 000029
【００８７】
受信データ相関行列Ｒｘｘは、周波数データベクトルのアンサンブル平均をとることで、次式（２８）で得られる。
【００８８】
【数２８】
2014112774.tif 000030
【００８９】
また、受信データ相関行列Ｒｘｘは、固有値λｉ、固有ベクトルｅｉを用いて、次式（２９）、（３０）、（３１）に示すように分割できる。
【００９０】
【数２９】
2014112774.tif 000031
【００９１】
【数３０】
2014112774.tif 000032
【００９２】
【数３１】
2014112774.tif 000033
【００９３】
モードベクトルａ（τ）と雑音固有ベクトルＥＮを用いて、次式（３２）のＭＵＳＩＣ法の空間スペクトラムが定義できる。
【００９４】
【数３２】
2014112774.tif 000034
【００９５】
ＰＭＵＳＩＣ（τ）を微分し、ピーク値を取るときの遅延時間τｉ（ｉ＝１，２，…，Ｉ）を算出し、遅延時間に対応する信号相関行列Ｓは、次式（３３）で表される。
【００９６】
【数３３】
2014112774.tif 000035
【００９７】
パス受信電力ｈｉは、信号相関行列の対角成分をとって次式（３４）で表される。
【００９８】
【数３４】
2014112774.tif 000036
【００９９】
以上より、δ（ｔ）をデルタ関数とすると、遅延プロファイルは、次式（３５）で表される。
【０１００】
【数３５】
2014112774.tif 000037
【０１０１】
反射・透過損失計算部８０４は、伝搬遅延推定部８０２から出力される遅延プロファイルと、端末・壁位置データに含まれる遮蔽物の位置や、端末・ＡＰの位置と、送信パラメータデータに含まれる送信アンテナ利得、受信アンテナ利得、送信電力、及び送信周波数とから遮蔽物の反射・透過損失の合計値を算出して出力する（ステップＳ３４）。
【０１０２】
次に、材質・厚さ推定部８０５は、図４において示したステップＳ１２と同様に、反射・透過損失計算部８０４から出力された反射・透過損失の合計値から評価関数を表す数式（２２）を満たす比透磁率μ、比誘電率ε、導電率σ、厚さｄとの組合せの中で、評価関数を表す数式（２２）を最小とする組合せを選択する（ステップＳ３５）。シンプレックス法、ニュートン法、遺伝的アルゴリズムなどを用いることで解析することができる。
【０１０３】
また、導電率σは、次式（３６）で表されるため、導電率σの周波数特性を考慮する場合、送信周波数の異なる２つのレイから定数ａ，ｂを求める必要がある。
【０１０４】
【数３６】
2014112774.tif 000038
【０１０５】
受信電力推定部８０６は、材質・厚さ推定部８０５から出力される遮蔽物の材質・厚さと、端末・壁位置データに含まれる端末・ＡＰの位置と、送信パラメータデータに含まれる送信アンテナ利得、受信アンテナ利得、送信電力、及び送信周波数とを用いて、任意の点の受信電力を推定する（ステップＳ３６）。
【０１０６】
上述した実施形態によれば、近隣の端末や、ＡＰを含め取得した複数の実測データから、外見から正確に把握することが困難な壁などの遮蔽物の材質（比透磁率、比誘電率、導電率）・厚さを推定することができるとともに、任意の点における受信電力を正確に推定することができる。
【０１０７】
なお、上述した第１、第２実施形態において、遅延プロファイル推定部４０１、反射・透過損失計算部４０２、材質・厚さ推定部４０３、及び受信電力推定部４０４、あるいはパス分離部８０１、伝搬遅延推定部８０２、遅延プロファイル推定部８０３による機能を実現するためのプログラムをコンピュータ読み取り可能な記録媒体に記録して、この記録媒体に記録されたプログラムをコンピュータシステムに読み込ませ、実行することにより、符号化処理、及び復号化処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１０８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【０１０９】
３０１、６００  送信局
３０２、３０３、６０１、…、６０４  受信局
３０４、６０５  遮蔽物
４０１  遅延プロファイル推定部
４０２  反射・透過損失計算部
４０３  材質・厚さ推定部
４０４  受信電力推定部
５０１  レイトレース計算部
５０２  伝搬損失計算部
５０３  受信電力計算部
５０４  減算器
８０１  パス分離部
８０２  伝搬遅延推定部
８０３  遅延プロファイル推定部
【図１】
2014112774.tif 000039
【図２】
2014112774.tif 000040
【図３】
2014112774.tif 000041
【図４】
2014112774.tif 000042
【図５】
2014112774.tif 000043
【図６】
2014112774.tif 000044
【図７】
2014112774.tif 000045
【図８】
2014112774.tif 000046
【図９】
2014112774.tif 000047
【図１０】
2014112774.tif 000048
【図１１】
2014112774.tif 000049
【図１２】
2014112774.tif 000050
【図１３】
2014112774.tif 000051
【図１４】
2014112774.tif 000052
【図１５】
2014112774.tif 000053